(57)【要約】      （修正有）【課題】構造が簡単で簡易に取り外しが出来るプロジェクター専用サウンドボックス構造を提供する。【解決手段】プロジェクター専用サウンドボックス構造であって、主として、二つの対応するサウンドボックス１、５により構成する。さらに、二つのサウンドボックスの中間にそれぞれ凹部１１、５１を凹設することによって、プロジェクターの吊り掛け棒をその中に収容し、サウンドボックス凹部の両側にそれぞれネジ穴１３を開設し、更に固定部品３を両側の孔洞３２に通して凹部の両ネジ穴に対応締め付け、この固定部品によってサウンドボックスを吊り掛け棒に挟着する。又、二つのサウンドボックスの対応する箇所で、一方のサウンドボックスに掛着部品を設置し、別の一方のサウンドボックスに掛着穴を開設することによって、二つのサウンドボックスを一体として結合する。上述各構成部品の組成によって、本件プロジェクター専用サウンドボックス構造を形成する。【選択図】図１
0003161905.tif 000002
【実用新案登録請求の範囲】
【請求項１】
プロジェクター専用サウンドボックス構造であって、
第一サウンドボックスと、固定部品と、第二サウンドボックスと、を含み、
前記第一サウンドボックスの中間に凹部を凹設することによって、プロジェクターの吊り掛け棒をその中に収容し、且つ凹部の中に少なくとも一個以上の滑り止めパッキングを設置し、別途凹部の両側にそれぞれネジ穴を開設し、更に凹部の両側面にそれぞれ掛着部を設けてあり、
前記固定部品の内側面に少なくとも一個以上の滑り止めパッキングを設置し、また固定部品の両側にそれぞれ孔洞を開設してあり、前記固定部品は、両孔洞を通して第一サウンドボックスのネジ穴と対応設置され、且つ締め付け部品によって位置決め固定すると共に、固定部品によって第一サウンドボックスを吊り掛け棒の上に固定し、
前記第二サウンドボックスの中間に凹部を凹設することによって、プロジェクターの吊り掛け棒をその中に収容し、且つ凹部の両側面にそれぞれ掛着部を設けてあることを特徴とする、プロジェクター専用サウンドボックス構造。
【請求項２】
前記第一サウンドボックスの掛着部は、掛着口であることを特徴とする、請求項１に記載のプロジェクター専用サウンドボックス構造。
【請求項３】
前記第一サウンドボックスの掛着部は、掛着部品であることを特徴とする、請求項１に記載のプロジェクター専用サウンドボックス構造。
【請求項４】
前記第一サウンドボックスの滑り止めパッキングの内面は、波浪状を呈し、滑り止めの摩擦力を増加させることを特徴とする、請求項１に記載のプロジェクター専用サウンドボックス構造。
【請求項５】
前記固定部品の滑り止めパッキング内面は、波浪状を呈し、滑り止めの摩擦力を増加させることを特徴とする、請求項１に記載のプロジェクター専用サウンドボックス構造。
【請求項６】
前記第二サウンドボックスの掛着部は、掛着口であることを特徴とする、請求項１に記載のプロジェクター専用サウンドボックス構造。
【請求項７】
前記第二サウンドボックスの掛着部は、掛着部品であることを特徴とする、請求項１に記載のプロジェクター専用サウンドボックス構造。
【請求項８】
前記第二サウンドボックスの凹部の中には、少なくとも一個以上の滑り止めパッキングを設置するとともに、凹部両側にもそれぞれネジ穴を開設することを特徴とする、請求項１に記載のプロジェクター専用サウンドボックス構造。
【請求項９】
前記第一サウンドボックスの掛着部が掛着口であるとき、第二サウンドボックスの掛着部は掛着部品であり、これに反し、第一サウンドボックスの掛着部が、掛着部品である場合は、第二サウンドボックスの掛着部は掛着口であることによって、二つのサウンドボックスが交互に掛合出来ることを特徴とする、請求項１に記載のプロジェクター専用サウンドボックス構造。
【考案の詳細な説明】
【技術分野】
【０００１】
本考案は、プロジェクター専用サウンドボックスの構造、特に、吊り掛け式プロジェクターの吊り掛け棒にサウンドボックスを吊り掛けることの出来るプロジェクター専用サウンドボックスの構造に関するものである。
【背景技術】
【０００２】
現在では、多くの家庭でプロジェクターを備えており、プロジェクターによって家庭で見る映像を拡大し、あたかも映画館にいるような感じで、映画館に行かなくとも簡単に映画館なみの視覚感官を楽しませ、又は会社で会議中にプレンテーションを行う時も、プロジェクターによって簡単明瞭にプレンテーションの内容や図表などを理解することが出来る。そのため、プロジェクターは、人々の家庭や学校、又は会社で広範に使用されている。
【０００３】
しかし、市販されているプロジェクターはほとんどサウンドボックスを備えておらず、別途音源線をサウンドボックスに接続しなければならず、使用上及び据え付け上かなり不便である、一部分のプロジェクターに外部取り付け式スピーカーがあるが、しかし、プロジェクター自体のスピーカーから放送される音は、低周波、音圧、重低音などの面で不足するところが有り、ユーザーは映画館におけるような聴覚を楽しむことが出来ない。
【０００４】
これによって分かるように、上述従来の方式には、尚幾多の欠点があり、よい設計とは言いがたく、改良が待たれていた。
【０００５】
本考案者は上述従来方式に派生する各項の欠点に鑑み、極力新規改善を試み、且つ長年苦心研鑽の末、遂に本件プロジェクター専用サウンドボックス構造の研究開発に成功した。
【考案の概要】
【考案が解決しようとする課題】
【０００６】
本考案の目的は、サウンドボックスをプロジェクターの吊り掛け棒に吊り掛けることによって、プロジェクター外部取り付けサウンドボックスの取り付けを一層便利で簡単にすると共に、サウンドボックスが吊り掛け棒上に吊り掛けてあるため、従来のサウンドボックスが占めるスペースを減らすことが出来、且つ本考案サウンドボックスを架設したプロジェクターにて生じる音響効果は、従来のサウンドボックスと同等の効果があるようにすることにある。
【０００７】
本考案のもう一つの目的は、構造が簡単で、操作が簡易、且つ快速に取り外しできるプロジェクター専用サウンドボックス構造を提供することにある。
【課題を解決するための手段】
【０００８】
上述実用新案の目的を達成できるプロジェクター専用サウンドボックス構造は、主として、二つのサウンドボックス、固定部品、滑り止めパッキング、及び吊り掛け部などの構成部品によって組成される。前記二つのサウンドボックスは、対応設置され、二つのサウンドボックスの中間にそれぞれ凹部を凹設することによって、プロジェクターの吊り掛け棒をその中に収容し、且つサウンドボックス凹部内に数個の滑り止めパッキングを設置し、サウンドボックスの凹部両側にそれぞれネジ穴を開設し、更に固定部品によって両側の孔洞とサウンドボックス凹部の両ネジ穴とが対応固定され、この固定部品によってサウンドボックスを吊り掛け棒に挟着する。前記固定部品の内側面には滑り止めパッキングを設置し、サウンドボックス及び固定部品の滑り止めパッキングによって、前記サウンドボックスが吊り掛け棒に固定されるとき、サウンドボックス自体の重量が重過ぎて下方へ滑り落ちることを避け、滑り止めパッキングに生じる摩擦力によってサウンドボックスを保持する目的を達成することが出来る。又、二つのサウンドボックスの対応する箇所では、一方のサウンドボックスに掛着部品を設置し、もう一方のサウンドボックスに掛着穴を設置することによって、二つのサウンドボックスを相互に掛合させて一体となすことが出来る。上述各構成部品の組成によって、本件のプロジェクター専用サウンドボックス構造を形成することが出来る。
【考案の効果】
【０００９】
本考案に係るプロジェクター専用サウンドボックス構造は、その他従来の技術に比べ、更に下記のような長所がある、
＜イ＞本考案は、サウンドボックスをプロジェクターの吊り掛け棒に吊り掛けることによって、プロジェクター外部取り付けサウンドボックスの取り付けを一層便利で簡単にすると共に、サウンドボックスが吊り掛け棒上に吊り掛けてあるため、従来のサウンドボックスが占めるスペースを減らすことが出来、且つ本考案サウンドボックスを架設したプロジェクターにて生じる音響効果は、従来のサウンドボックスと同等の効果がある。
＜ロ＞本考案は、構造が簡単で、操作が簡易、且つ快速に取り外しできるプロジェクター専用サウンドボックス構造を提供できる。
【図面の簡単な説明】
【００１０】
【図１】本考案のプロジェクター専用サウンドボックス構造の分解斜視図である。
【図２】本考案のプロジェクター専用サウンドボックス構造の第一サウンドボックスをプロジェクターの吊り掛け棒に結合した場合の説明図である。
【図３】本考案のプロジェクター専用サウンドボックス構造の第二サウンドボックスを第一サウンドボックスに掛合した場合の説明図である。
【図４】本考案のプロジェクター専用サウンドボックス構造の別の実施例の説明図である。
【考案を実施するための形態】
【００１１】
図１乃至図３は、本考案に係るプロジェクター専用サウンドボックス構造の各図面であり、主として、第一サウンドボックス１と、固定部品３と、第二サウンドボックス５と、を含む。
【００１２】
前記第一サウンドボックス１の中間に凹部１１を凹設することによって、プロジェクター２の吊り掛け棒２１をその中に収容し、且つ凹部１１の中に少なくとも一個以上の滑り止めパッキング１２を設置し、別途凹部１１の両側にそれぞれネジ穴１３を開設し、更に凹部１１の両側面にそれぞれ掛着部１４を設けてある。前記掛着部１４は、掛着口であってよい。前記掛着部１４は、掛着部品であってよい。前記滑り止めパッキング１２の内面は、波浪状を呈することによって、滑り止めの摩擦力を増加出来る。
【００１３】
前記固定部品３の内側面に少なくとも一個以上の滑り止めパッキング３１を設置し、また固定部品３の両側にそれぞれ孔洞３２を開設してある。前記固定部品３は、両孔洞３２を通して第一サウンドボックス１のネジ穴１３と対応設置され、且つ締め付け部品４によって、位置決め固定すると共に、固定部品３によって、第一サウンドボックス１を吊り掛け棒２１の上に固定する（図２に示すように）。前記滑り止めパッキング３１の内面は、波浪状を呈することによって、滑り止めの摩擦力を増加出来る。
【００１４】
前記第二サウンドボックス５の中間に凹部５１を凹設することによって、プロジェクター２の吊り掛け棒２１をその中に収容し、且つ凹部５１の両側面にそれぞれ掛着部５２を設けてある。前記掛着部５２は、掛着口であってよい。前記掛着部５２は、掛着部品であってよい。
【００１５】
上述各構成部品の組成によって、本考案に係るプロジェクター専用サウンドボックス構造を形成する。
【００１６】
上述第二サウンドボックス５の凹部内には同様に少なくとも一個以上の滑り止めパッキング（図示せず）を設置し、又凹部の両側にもそれぞれネジ穴（図示せず）を開設してある。上述第一サウンドボックス１の掛着部１４が、掛着口であるときは、第二サウンドボックス５の掛着部５２は掛着部品であり、これに反し、第一サウンドボックス１の掛着部１４が、掛着部品である場合は、第二サウンドボックス５の掛着部５２は掛着口であることによって、二つのサウンドボックスが交互に掛合出来る。
【００１７】
本考案は、少なくとも一個以上のサウンドボックスによって構成され、サウンドボックスをプロジェクター２の吊り掛け棒２１に挟着し、更に各サウンドボックスを相互掛合する方式で一体となし、同様に前記実施例の効能を達成できる。
【００１８】
図４は、前記プロジェクター専用サウンドボックス構造の別の実施例の説明図である。本実施例は、主として第一サウンドボックス１及び第二サウンドボックス５が相互に掛合する方式を、相互に螺合する方式に改めたもので、主として、二つのサウンドボックスの上にそれぞれ螺合穴１５、５３を設置し、且つ締め付け部品６を二つのサウンドボックスの螺合穴１５、５３に挿入することによって、二つのサウンドボックスを一体となるよう締め付ける。この方式によって、同様に二つのサウンドボックスをプロジェクター２の吊り掛け棒２１の上に保持することが出来る。
【００１９】
上記詳細な説明は、本考案の実行可能な実施例の具体的説明である、但し前記実施例は、本考案の登録請求範囲を制限するものではなく、凡そ本考案の技芸精神を逸脱せずになされる等価実施或いは変更は、全て本案の登録請求範囲に含まれるものとする。
【００２０】
以上を総合すると、本案は、空間形態上確かに創造的であるのみならず、従来の物品に比べ、上述多項目の効能を増進しており、既に新規性及び進歩性の法定実用新案の登録要件を十分満たしておるものとして、ここに申請を提出する次第である。
【符号の説明】
【００２１】
１      第一サウンドボックス
１１    凹部
１２    滑り止めパッキング
１３    ネジ穴
１４    掛着部
１５    締め付け穴
２      プロジェクター
２１    吊り掛け棒
３      固定部品
３１    滑り止めパッキング
３２    孔洞
４      締め付け部品
５      第二サウンドボックス
５１    凹部
５２    掛着部
５３    締め付け穴
６      締め付け部品
【図１】
0003161905.tif 000003
【図２】
0003161905.tif 000004
【図３】
0003161905.tif 000005
【図４】
0003161905.tif 000006